(57)【要約】      （修正有）【課題】スプールリングを任意に取り外すことが出来る魚釣用リールのスプール及び魚釣用リールの提供。【解決手段】ハンドルの回転操作に伴ってスプール軸線に沿って前後移動するスプールであって、釣糸が巻かれる糸巻胴部６５、糸巻胴部６５の前端部からスプール軸線に交差する径方向の外側に向けて延びる環状のフランジ部６７、及びフランジ部６７から前方に向けて延びる連結筒部６８を有するスプール本体６０と、フランジ部６７に対して前方から分離可能に組み合わされたスプールリング６１と、連結筒部６８を介してスプール本体６０に対して前方から分離可能に組み合わされ、スプールリング６１をフランジ部６７に対して前方から押さえ込む固定リング６２と、を備え、連結筒部６８には、スプール本体６０に対する固定リングの相対移動を規制する第１規制部１２０が連結筒部６８に対して離脱可能に取り付けられている魚釣用リールのスプール５を提供する。【選択図】図５
2019110761.tif 000002
【特許請求の範囲】
【請求項１】
釣糸を前方に繰り出す魚釣用リールのリール本体に組み合わされると共に、前記リール本体に取り付けられたハンドルの回転操作に伴ってスプール軸線に沿って前後移動するスプールであって、
釣糸が巻かれる糸巻胴部、前記糸巻胴部の前端部から前記スプール軸線に交差する径方向の外側に向けて延びる環状のフランジ部、及び前記フランジ部から前方に向けて延びる連結筒部を有するスプール本体と、
前記フランジ部の外周縁部を前記径方向の外側から囲むように形成されると共に、前記フランジ部に対して前方から分離可能に組み合わされたスプールリングと、
前記連結筒部を介して前記スプール本体に対して前方から分離可能に組み合わされ、前記スプールリングを前記フランジ部に対して前方から押さえ込む固定リングと、を備え、
前記連結筒部には、前記スプール本体に対する前記固定リングの相対移動を規制する第１規制部が前記連結筒部に対して離脱可能に取り付けられている、魚釣用リールのスプール。
【請求項２】
前記固定リングには、前記第１規制部と協働して、前記スプール本体に対する前記固定リングの相対移動を規制する第２規制部が形成されている、請求項１に記載の魚釣用リールのスプール。
【請求項３】
前記連結筒部には、第１ねじ部が形成され、
前記固定リングは、前記第１ねじ部に螺合する第２ねじ部が形成されたねじ筒部を有し、前記連結筒部に対する前記ねじ筒部の螺着によって前記スプール本体に組み合わされ、
前記第２規制部は、前記第１規制部に対して前記スプール軸線回りを周回する周方向から係止可能とされ、前記スプール本体に対する前記固定リングの前記周方向への移動を規制する、請求項２に記載の魚釣用リールのスプール。
【請求項４】
前記第１規制部及び前記第２規制部は、前記周方向に間隔をあけて複数配置されている、請求項３に記載の魚釣用リールのスプール。
【請求項５】
前記連結筒部には、該連結筒部を前記径方向に貫通するねじ孔が形成され、
前記第１規制部は、前記ねじ孔に捩じ込み可能とされたねじ部材とされている、請求項１から４のいずれか１項に記載の魚釣用リールのスプール。
【請求項６】
前記固定リングには、前記第１規制部に対する前記第２規制部の相対的な周方向位置を示す指標部が形成されている、請求項３から５のいずれか１項に記載の魚釣用リールのスプール。
【請求項７】
前記フランジ部に対して前記スプール軸線回りを周回する周方向への前記スプールリングの相対移動を抑制する回り止め部を備える、請求項１から６のいずれか１項に記載の魚釣用リールのスプール。
【請求項８】
前記回り止め部は、
前記フランジ部に形成され、前方及び前記径方向の外側に向けて開口した第１凹部と、
前記スプールリングに形成され、前方及び前記径方向の内側に向けて開口すると共に、前記第１凹部に対して前記径方向に対向配置された第２凹部と、
前記第１凹部及び前記第２凹部の内側に前方から離脱可能に嵌合された回り止めピンと、を備える、請求項７に記載の魚釣用リールのスプール。
【請求項９】
前記固定リングは、前記回り止めピンを前方から押さえ込んでいる、請求項８に記載の魚釣用リールのスプール。
【請求項１０】
ハンドルを有するリール本体と、
請求項１から９のいずれか１項に記載の魚釣用リールのスプールと、
前記ハンドルの回転操作に伴って前記スプール軸線回りを回転可能に前記リール本体に組み合わされると共に、前記スプールの前後移動と連動して回転することで釣糸を前記糸巻胴部に巻き付けるロータと、を備える、魚釣用リール。
【発明の詳細な説明】
【技術分野】
【０００１】
本発明は、魚釣用リールのスプール及び魚釣用リールに関する。
【背景技術】
【０００２】
釣糸を前方に向けて繰り出す魚釣用リールの一つとして知られているスピニングリールは、一般にハンドルを有するリール本体と、リール本体の前方側に配設され、リール本体に回転可能に組み合わされたロータと、ロータの前方側に配設され、釣糸が巻かれる糸巻胴部を有するスプールと、を主に備えている。
釣糸の巻取り時、スプールはハンドルの回転操作に伴って回転するロータに連動して前後方向に往復移動する。これにより、ラインローラを介して糸巻胴部に釣糸を偏りなく巻き取ることが可能とされている。キャスティング時には、ベールアームを糸開放姿勢に倒して釣竿を前方に向けて振り出すことで、糸巻胴部に巻かれた釣糸を前方に向けて繰り出す（放出する）ことが可能とされている。
【０００３】
上述のように、スプールは釣糸が巻かれる重要部品であり、耐久性、耐食性、耐摩耗性、剛性、巻き心地等を考慮して、その材質や表面処理等が日々改良されている。特に、糸巻胴部の前方側に形成されたフランジ部は、キャスティングによって前方に向けて釣糸が放出されるたびに釣糸が接触するので、釣糸との接触による負担がかかり易い。そのため、近年ではフランジ部の外周縁部側に、耐摩耗性等に優れた硬質材で形成されたスプールリングを装着したスプールが知られている。
【０００４】
例えば、特許文献１には、フランジ部の外周縁部に硬質材で形成されたスプールリング（硬質材リング）が強固に固定（例えば密な嵌合、接着或いは加締め等による固定）されたスプールが知られている。このスプールによれば、スプールリングを具備しているので、釣糸との間に生じる摩擦抵抗を軽減でき、例えば釣糸の糸切れ防止や釣糸の飛距離の低下を抑制することが可能とされている。さらには、釣糸との接触によってスプールリング自体に傷、摩耗等が生じ難いスプールとされている。
【先行技術文献】
【特許文献】
【０００５】
【特許文献１】特開２００４−１４７５６１号公報
【発明の概要】
【発明が解決しようとする課題】
【０００６】
しかしながら、上記従来のスプールであっても、例えば長期使用による釣糸との継続的な接触や外部との接触等によって、スプールリングに傷、凹み、粗れ等の不具合が生じる場合がある。この場合、従来のスプールでは、スプールリングがフランジ部に対して強固に固定されているので、スプールリングを単独で修理或いは交換することができず、スプール全体を取り外して修理する、或いはスプール全体を交換する必要があった。そのため、修理、交換に費やす維持費が高くなり易く、改善の余地があった。
【０００７】
本発明は、このような事情に考慮してなされたもので、その目的は、スプールリングを任意に取り外すことができる魚釣用リールのスプール、及び魚釣用リールを提供することである。
【課題を解決するための手段】
【０００８】
（１）本発明に係る魚釣用リールのスプールは、釣糸を前方に繰り出す魚釣用リールのリール本体に組み合わされると共に、前記リール本体に取り付けられたハンドルの回転操作に伴ってスプール軸線に沿って前後移動するスプールであって、釣糸が巻かれる糸巻胴部、前記糸巻胴部の前端部から前記スプール軸線に交差する径方向の外側に向けて延びる環状のフランジ部、及び前記フランジ部から前方に向けて延びる連結筒部を有するスプール本体と、前記フランジ部の外周縁部を前記径方向の外側から囲むように形成されると共に、前記フランジ部に対して前方から分離可能に組み合わされたスプールリングと、前記連結筒部を介して前記スプール本体に対して前方から分離可能に組み合わされ、前記スプールリングを前記フランジ部に対して前方から押さえ込む固定リングと、を備え、前記連結筒部には、前記スプール本体に対する前記固定リングの相対移動を規制する第１規制部が前記連結筒部に対して離脱可能に取り付けられている。
【０００９】
本発明に係るスプールによれば、固定リングがスプール本体のフランジ部に対してスプールリングを前方から押さえ込んでいると共に、第１規制部がスプール本体に対する固定リングの相対移動を規制している。そのため、例えばスプール軸線の軸方向及びスプール軸線回りを周回する周方向への固定リングの移動を規制した状態で、連結筒部を介してスプール本体に固定リングを組み合わせることができる。従って、固定リングを利用してスプールリングをフランジ部に対して前方から安定的に押さえ込むことができ、固定リングとフランジ部との間でスプールリングを挟持することができる。これにより、スプールリングをがたつき少なく安定に保持することができ、例えばキャスティング時において、スプールリングで釣糸を安定にガイドしながら前方に向けて釣糸を繰り出すことができる。
【００１０】
ところで、第１規制部は連結筒部に対して離脱可能に取り付けられているので、連結筒部から第１規制部を取り外すことで、スプール本体に対する固定リングの相対移動の規制を解除することができる。これにより、スプール本体から固定リングを前方側に分離させて該固定リングをスプール本体から取り外すことができ、固定リングによるスプールリングの押さえ込みを解除することができる。従って、フランジ部からスプールリングを前方側に分離させて該スプールリングをスプール本体から取り外すことができる。
【００１１】
このように、スプールリングを任意に取り外すことができるので、例えばスプールリングに傷等が付いた場合には、スプールリングだけを修理或いは交換することができる。そのため、修理、交換に費やす維持費を抑制することができ、ユーザにかかる負担の軽減化に繋げることができる。
さらに、魚釣用リールの種類、釣糸の種類、ルアーの種類等に応じて、例えば材質や表面処理が異なる複数種類のスプールリングの中から最適なスプールリングを選択して付け替えることもできる。従って、状況に応じたスプールリングの使い分けを行うことができ、使い易さを向上することができると共に、例えば釣糸の飛距離を高める等のリール性能の向上化にも繋げることができる。
【００１２】
（２）前記固定リングには、前記第１規制部と協働して、前記スプール本体に対する前記固定リングの相対移動を規制する第２規制部が形成されても良い。
【００１３】
この場合には、スプール本体側の第１規制部、及び固定リング側の第２規制部を互いに協働させることで、スプール本体に対する固定リングの相対移動を規制することができる。そのため、第１規制部のみで固定リングの相対移動を規制するよりも、スプール本体に対する固定リングの相対移動をより確実に規制し易い。
【００１４】
（３）前記連結筒部には、第１ねじ部が形成され、前記固定リングは、前記第１ねじ部に螺合する第２ねじ部が形成されたねじ筒部を有し、前記連結筒部に対する前記ねじ筒部の螺着によって前記スプール本体に組み合わされ、前記第２規制部は、前記第１規制部に対して前記スプール軸線回りを周回する周方向から係止可能とされ、前記スプール本体に対する前記固定リングの前記周方向への移動を規制しても良い。
【００１５】
この場合には、スプール本体に対して固定リングを捩じ込んで連結筒部に対してねじ筒部を螺着させることで、スプール本体に対して固定リングを組み合わせることができる。特に、固定リングの捩じ込みによって、スプールリングを押さえ込む押圧力を調整しながら、フランジ部に対してスプールリングを前方から徐々に押さえ込むことができる。従って、フランジ部と固定リングとの間でスプールリングを安定して挟持することができ、スプールリングをさらにがたつき少なく安定に保持することができる。
【００１６】
また、スプール本体に対して固定リングを組み合わせた後に第１規制部を取り付けることで、第１規制部及び第２規制部が互いに周方向に係止可能な状態となる。これにより、第１規制部及び第２規制部を利用して、スプール本体に対する固定リングの周方向への移動を規制することができるので、例えば固定リングを適切に緩み止めした状態でスプール本体に固定リングを組み合わせることができる。
【００１７】
（４）前記第１規制部及び前記第２規制部は、前記周方向に間隔をあけて複数配置されても良い。
【００１８】
この場合には、複数の第１規制部及び第２規制部を利用して、スプール本体に対する固定リングの周方向への移動を規制することができるので、例えば固定リングをより確実に緩み止めすることができる。
【００１９】
（５）前記連結筒部には、該連結筒部を前記径方向に貫通するねじ孔が形成され、前記第１規制部は、前記ねじ孔に捩じ込み可能とされたねじ部材とされても良い。
【００２０】
この場合には、第１規制部をねじ孔に捩じ込むことができるので、連結筒部から第１規制部が意図せずに離脱してしまう（抜け落ちる）ことを効果的に抑制することができる。従って、スプール本体に対する固定リングの相対移動の規制を、例えば長期に亘って安定して維持することができる。
なお、ねじ部材として例えば止めねじを利用した場合には、連結筒部の内側に第１規制部が突出しないように、第１規制部をねじ孔の内側に潜り込ませることができる。そのため、連結筒部の内側スペースを有効に利用することが可能である。
【００２１】
（６）前記固定リングには、前記第１規制部に対する前記第２規制部の相対的な周方向位置を示す指標部が形成されても良い。
【００２２】
この場合には、スプール本体に対して固定リングを捩じ込むときに、指標部を視認しながらスプール本体に対する固定リングの周方向位置を調整することができる。これにより、連結筒部に第１規制部を取り付けたときに、第１規制部と第２規制部とを適切且つ速やかに周方向に係止可能な状態とすることができる。従って、スプールリングの取り付け作業を効率良く行うことができる。
【００２３】
（７）前記フランジ部に対して前記スプール軸線回りを周回する周方向への前記スプールリングの相対移動を抑制する回り止め部を備えても良い。
【００２４】
この場合には、回り止め部によってフランジ部に対するスプールリングの周方向への相対移動を抑制することができるので、スプールリングが回転してしまうことを抑制しながら、固定リングとフランジ部との間でスプールリングを挟持することができる。従って、スプールリングをさらに安定に保持することができる。
さらに、例えばスプール本体に対して固定リングを締め付けるように取り付ける場合には、スプールリングが固定リングに伴って共回りすることを抑制できるので、固定リングの締め付けを適切に行い易い。
【００２５】
（８）前記回り止め部は、前記フランジ部に形成され、前方及び前記径方向の外側に向けて開口した第１凹部と、前記スプールリングに形成され、前方及び前記径方向の内側に向けて開口すると共に、前記第１凹部に対して前記径方向に対向配置された第２凹部と、前記第１凹部及び前記第２凹部の内側に前方から離脱可能に嵌合された回り止めピンと、を備えても良い。
【００２６】
この場合には、フランジ部に対してスプールリングを組み合わせた後、第１凹部及び第２凹部の内側に回り止めピンを前方から嵌め込むだけの簡便な作業でフランジ部に対するスプールリングの周方向への相対移動を抑制することができる。従って、スプールリングの取り付け作業を効率良く行うことができる。
【００２７】
（９）前記固定リングは、前記回り止めピンを前方から押さえ込んでも良い。
【００２８】
この場合には、固定リングがフランジ部に対してスプールリングを前方から押さえ込んでいるだけでなく、回り止めピンも押さえ込んでいる。そのため、回り止めピンの抜けを効果的に防止することができる。
【００２９】
（１０）本発明に係る魚釣用リールは、ハンドルを有するリール本体と、前記魚釣用リールのスプールと、前記ハンドルの回転操作に伴って前記スプール軸線回りを回転可能に前記リール本体に組み合わされると共に、前記スプールの前後移動と連動して回転することで釣糸を前記糸巻胴部に巻き付けるロータと、を備える。
【００３０】
本発明に係る魚釣用リールによれば、スプール全体を取り外すことなく、スプールリングだけを任意に取り外すことができる。従って、先に述べたように、スプールリング単品での修理或いは交換が可能であるうえ、スプールリングの付け替えを行って、状況に応じたスプールリングの使い分けを行うことができる。よって、維持費を抑制することができると共に、使い易く、リール性能が向上した魚釣り用リールとすることができる。
【発明の効果】
【００３１】
本発明に係るスプール及び魚釣用リールによれば、スプールリングを任意に取り外すことができ、スプールリング単品での修理或いは交換を行うことができるので、修理、交換に費やす維持費を抑制することができる。さらに、スプールリングの付け替えを行って状況に応じたスプールリングの使い分けを行うことができるので、使い易さを向上することができると共に、例えば釣糸の飛距離を高める等のリール性能の向上化にも繋げることができる。
【図面の簡単な説明】
【００３２】
【図１】本発明の第１実施形態を示すスピニングリール（魚釣用リール）の側面図である。
【図２】図１に示すスピニングリールの部分断面図を含む側面図である。
【図３】図２に示すスピニングリールを矢印Ａ方向（後方側）から見たスピニングリールの部分断面図を含む背面図である。
【図４】図１に示すスプールリングの周辺を拡大したスプールの断面図である。
【図５】図４に示すスプールの斜視図（断面図を含む）である。
【図６】図４に示すスプールを矢印Ｂ方向（前方側）から見たスプールの正面図である。ただし、カラーリングの図示を省略している。
【図７】図５に示す回り止めピンの周辺を拡大したスプールの斜視図（断面図を含む）である。
【図８】図７に示すスプール本体に対して、スプールリングを組み合わせる前の状態を示すスプールの斜視図（断面図を含む）である。
【図９】図８に示す状態から、スプール本体に対してスプールリングを組み合わせた後、第１凹部及び第２凹部の内側に回り止めピンを嵌めた状態を示すスプールの斜視図（断面図を含む）である。
【図１０】図１に示すカラーリングの斜視図である。
【図１１】第１実施形態における回り止めピンの変形例を示す図であって、スプール本体に対して、スプールリングを組み合わせる前の状態を示すスプールの斜視図（断面図を含む）である。
【図１２】図１１に示す状態から、スプール本体に対してスプールリングを組み合わせた後、第１凹部及び第２凹部の内側に回り止めピンを嵌め込んでいる途中の状態を示すスプールの斜視図（断面図を含む）である。
【図１３】本発明の第２実施形態を示すスプールの断面図であって、スプールリングの周辺を拡大した断面図である。
【図１４】図１３に示すスプールの斜視図（断面図を含む）である。
【発明を実施するための形態】
【００３３】
（第１実施形態）
以下、本発明に係るスプール及び魚釣用リールの第１実施形態について図面を参照して説明する。なお、本実施形態では、魚釣用リールとしてスピニングリールを例に挙げて説明する。また、各図面において、各構成部材を視認可能な大きさとするために必要に応じて各構成部材の縮尺を適宜変更している場合がある。
【００３４】
図１〜図３に示すように本実施形態のスピニングリール１は、リール本体２と、リール本体２に対してハンドル軸線Ｏ１回りに回転可能に取り付けられたハンドル組立体（ハンドル）３と、リール本体２に対してスプール軸線Ｏ２回りに回転可能に組み合わされたロータ４と、リール本体２に対してスプール軸線Ｏ２に沿って往復移動可能に組み合わされ、図示しない釣糸が巻かれるスプール５と、を主に備えている。
【００３５】
本実施形態では、ハンドル軸線Ｏ１に沿う方向を左右方向Ｌ１として定義すると共に、スプール軸線Ｏ２に沿う方向を前後方向Ｌ２として定義する。また、前後方向Ｌ２においてスプール５から釣糸が繰り出される方向を前方、その反対方向を後方と定義すると共に、スピニングリール１を後方側から見た視点で左右を定義する。なお、図３は、スピニングリール１を後方側（図２に示す矢印Ａ方向）から見た背面図である。
【００３６】
さらに、ハンドル軸線Ｏ１をその軸線方向（左右方向Ｌ１）から見た平面視で、ハンドル軸線Ｏ１に交差する方向を径方向といい、ハンドル軸線Ｏ１回りに周回する方向を周方向という場合がある。同様に、スプール軸線Ｏ２をその軸線方向（前後方向Ｌ２）から見た平面視で、スプール軸線Ｏ２に交差する方向を径方向といい、スプール軸線Ｏ２回りに周回する方向を周方向という場合がある。さらに、ハンドル軸線Ｏ１の径方向のうち、ハンドル軸線Ｏ１から釣竿Ｒに向かう方向を上方といい、その反対方向を下方という。
なお、ハンドル軸線Ｏ１及びスプール軸線Ｏ２は、上下方向に互いに離間して配設されていると共に、上下方向から見て互いに略直交するように交差している。つまり、ハンドル軸線Ｏ１とスプール軸線Ｏ２とは、立体的に交差している。
【００３７】
（リール本体）
リール本体２は、本体部（ボディ部）１０、蓋部１１及びガード部材１２を備えている。本体部１０は、例えばマグネシウム合金、アルミニウム合金等の軽合金製或いは高強度樹脂の成形部品とされ、その内部には各種のリール構成部材を収容する収容空間１３が形成されている。本体部１０の上部には、上方に向けて延びるように脚部１４が一体に形成されている。脚部１４の上端部には、釣竿Ｒに装着される装着片１５が釣竿Ｒに沿って延びるように形成されている。
なお、図１〜図３に示す釣竿Ｒは、模式的に示したものであり、一般的に釣竿Ｒに設けられるリール取付台座（リールシート）等の構成については図示を省略している。
【００３８】
蓋部１１は、本体部１０と同様に軽合金製或いは高強度樹脂の成形部品とされ、本体部１０に対して取り外し可能に固定されている。上記収容空間１３は、蓋部１１によって例えば密（液密、気密等）に塞がれている。本体部１０に対する蓋部１１の固定方法としては、特に限定されるものではないが、例えば本体部１０のうちロータ４の後方側に位置する部分に配置された固定ボルト１６を含む、その他の複数の固定ボルトを利用して固定されている。
ガード部材１２は、本体部１０の後部及び蓋部１１の後部を後方側から覆うカバー部品とされている。ただし、ガード部材１２は必須な構成ではなく具備しなくても構わない。
【００３９】
図３に示すように、本体部１０の右側面には、ハンドル組立体３或いはキャップ１８を装着するための平坦な第１装着壁２０が形成されている。これに対応して蓋部１１の左側面には、ハンドル組立体３或いはキャップ１８を装着するための平坦な第２装着壁２１が形成されている。図示の例では、第１装着壁２０側にキャップ１８が装着され、第２装着壁２１側にハンドル組立体３が装着されている。
【００４０】
つまり本実施形態のスピニングリール１は、左ハンドルの場合を例にしている。ただし、後述するように、第１装着壁２０側にハンドル組立体３を装着することで右ハンドルの形態に変更することも可能である。この場合、第２装着壁２１側にキャップ１８が装着される。
【００４１】
第１装着壁２０には、本体部１０を左右方向Ｌ１に貫通するように第１取付孔２２が形成されている。同様に第２装着壁２１には、蓋部１１を左右方向Ｌ１に貫通するように第２取付孔２３が形成されている。これら第１取付孔２２及び第２取付孔２３は、ハンドル軸線Ｏ１と同軸上に形成され、収容空間１３を挟んで左右方向Ｌ１に向かい合うように配置されている。
【００４２】
第１装着壁２０には、収容空間１３の内側に向かって突出すると共に、その内側が第１取付孔２２内に連通する円筒状の第１支持筒２４が形成されている。同様に、第２装着壁２１には、収容空間１３の内側に向かって突出すると共に、その内側が第２取付孔２３内に連通する円筒状の第２支持筒２５が形成されている。これら第１支持筒２４及び第２支持筒２５は、ハンドル軸線Ｏ１と同軸に配置されている。
【００４３】
（ハンドル組立体）
図３に示すように、ハンドル組立体３は、リール本体２に対してハンドル軸線Ｏ１回りに回転可能に支持されたハンドル軸３０と、ハンドル軸３０に回転不能に連結され、ハンドル軸３０を介してリール本体２に対してハンドル軸線Ｏ１回りに回転可能に取り付けられたハンドルアーム３１と、ハンドルアーム３１の先端部に回転可能に取り付けられたハンドルノブ３２と、を備えている。
【００４４】
（ロータ）
図１及び図２に示すように、ロータ４は、ハンドル組立体３の回転操作に伴ってスプール軸線Ｏ２回りを回転可能に組み合わされていると共に、スプール５の往復移動（スプール軸線Ｏ２に沿う前後移動）と連動して回転することで、釣糸を後述するスプール５の糸巻胴部６５に巻き付ける。
【００４５】
ロータ４は、リール本体２の前部側にスプール軸線Ｏ２と同軸に配置され、前壁部４０ａ及び周壁部４０ｂを有する有頂筒状に形成された円筒体４０と、周壁部４０ｂに連結された第１アーム部４１及び第２アーム部４２と、を備えている。
【００４６】
円筒体４０は、後方に開口しており、リール本体２の前部側を径方向外側から囲むようにリール本体２に対して前方側から組み合わされている。前壁部４０ａの中央部分には、前壁部４０ａを前後方向Ｌ２に貫通する貫通孔４３が形成された円筒状のボス部４４が後方に向けて突設されている。貫通孔４３は、スプール軸線Ｏ２と同軸上に形成されている。ボス部４４の内側には、貫通孔４３を通じて円筒状のピニオン軸４５及びスプール軸４６が挿通されている。
【００４７】
なお、ピニオン軸４５はスプール軸線Ｏ２回りに回転可能とされ、その前端部は前壁部４０ａよりも前方側に延びている。そして、前壁部４０ａは、ピニオン軸４５の前端部に取り付けられたナット４７を介してピニオン軸４５に対して一体に連結されている。これにより、ロータ４はリール本体２に対して、スプール軸線Ｏ２回りに回転可能に組み合わされている。
【００４８】
第１アーム部４１及び第２アーム部４２は、周壁部４０ｂの後端部に連結されると共に、スプール軸線Ｏ２を挟んで径方向に互いに対向するように配置されている。第１アーム部４１及び第２アーム部４２は、周壁部４０ｂの後端部から前方に向けて延びるように形成されていると共に、その前端部４１ａ、４２ａは前壁部４０ａよりも前方に突出している。
【００４９】
第１アーム部４１の前端部４１ａ及び第２アーム部４２の前端部４２ａには、ベールアーム５０が回動可能（揺動可能）に取り付けられている。
ベールアーム５０は、第１アーム部４１の前端部４１ａに回動可能に取り付けられた第１ベール支持部材５１と、第２アーム部４２の前端部４２ａに回動可能に取り付けられた第２ベール支持部材５２と、第１ベール支持部材５１の前端部に回転可能に取り付けられたラインローラ５３と、略Ｕ形状に湾曲形成され、第１ベール支持部材５１と第２ベール支持部材５２との間を繋ぐように配置されたベール５４と、を備えている。
【００５０】
ベール５４は、その一端部がラインローラ５３を介して第１ベール支持部材５１の前端部に固定され、且つその他端部が第２ベール支持部材５２の前端部に固定されている。ラインローラ５３は、釣糸をスプール５に案内する。
ベールアーム５０は、釣糸をラインローラ５３に案内する糸案内姿勢（図１及び図２に示す状態）と、糸案内姿勢から反転した糸開放姿勢と、の間で揺動可能とされている。ベールアーム５０が糸案内姿勢に位置している状態で、ロータ４がスプール軸線Ｏ２回りに回転することで、ラインローラ５３を介して釣糸をスプール５に巻き付けることが可能とされている。
【００５１】
（スプール）
図２、図４及び図５に示すように、スプール５は、スプール軸４６の前端部に対して取り外し可能に固定された筒状のスプール本体６０と、スプール本体６０に対して前方から分離可能に組み合わされたスプールリング６１と、スプール本体６０に対して前方から分離可能に組み合わされ、スプール本体６０に対してスプールリング６１を前方から押さえ込む環状のリングカラー（固定リング）６２と、を備えている。
【００５２】
スプール軸４６は、スプール軸線Ｏ２と同軸に配置され、後述するオシレーティング機構８１によってスプール軸線Ｏ２に沿って往復移動可能とされている。これにより、スプール５は、スプール軸４６を介して、リール本体２に対してスプール軸線Ｏ２に沿って往復移動可能（前後移動可能）とされている。
【００５３】
スプール本体６０は、第１ベール支持部材５１と第２ベール支持部材５２との間に位置するように配置された円筒状の糸巻胴部６５と、糸巻胴部６５の後端部から後方に向けて延びるように形成されると共に糸巻胴部６５よりも大径に形成され、且つロータ４における円筒体４０の周壁部４０ｂを径方向の外側から囲む円筒状のスカート部６６と、糸巻胴部６５の前端部から径方向外側に向けて延びる環状のフランジ部６７と、フランジ部６７からさらに前方に向けて延びるように形成された連結筒部６８と、を備え、スプール軸線Ｏ２と同軸に配置されている。
【００５４】
なお、スプール５の構成については、後に詳細に説明する。
図２に示すように、スプール５には、主に糸巻胴部６５の内側に設けられ、スプール５の回転を制動する図示しない制動機構と、スプール軸線Ｏ２回りに回転可能に取り付けられ、制動機構の制動力を調整するドラグ調整ノブ７０と、を備えるドラグ調整機構７１が取り付けられている。なお、ドラグ調整ノブ７０は、主に連結筒部６８の内側に配置されている。なお、図１及び図２以外の各図面では、ドラグ調整機構７１の図示を省略している。
【００５５】
（スピニングリールのその他の構成）
図２及び図３に示すように、リール本体２の収容空間１３内には、ハンドル軸線Ｏ１回りに回転可能にリール本体２に支持されると共に、ハンドル軸３０を介してハンドル組立体３に連結された円筒状のドライブ軸７５と、ドライブ軸７５に形成されたドライブギア７６と、ドライブギア７６に噛み合うと共にドライブ軸７５の回転に伴ってスプール軸線Ｏ２回りに回転するピニオンギア７７と、ドライブギア７６とリール本体２との間に設けられ、ドライブ軸７５をハンドル軸線Ｏ１回りに回転可能に支持する軸受７８と、が設けられている。
【００５６】
さらに、リール本体２の収容空間１３内には、ハンドル組立体３の回転操作に基づいてロータ４をスプール軸線Ｏ２回りに回転させるロータ駆動機構８０と、ハンドル組立体３の回転操作に基づいてスプール５をスプール軸線Ｏ２方向に往復移動させるオシレーティング機構８１と、ロータ４の逆転防止機構８２と、がさらに設けられている。
【００５７】
（ロータ駆動機構）
ロータ駆動機構８０は、ドライブ軸７５、ドライブギア７６及びピニオンギア７７によって主に構成されている。
図３に示すように、ドライブ軸７５の内側にはハンドル軸３０が左側から挿入され、ドライブ軸７５に対して相対回転不能に連結されている。これにより、ドライブ軸７５は、ハンドル組立体３の回転操作に伴ってハンドル軸線Ｏ１回りに回転する。なお、ドライブ軸７５には、ドライブギア７６が例えば一体に形成されている。
【００５８】
図２に示すように、ピニオンギア７７は、スプール軸線Ｏ２と同軸に配置された円筒状のピニオン軸４５に一体に形成されている。ピニオン軸４５は、ロータ４のボス部４４に形成された貫通孔４３内に後方から差し込まれ、その前端部４５ａはロータ４の前壁部４０ａよりも前方に突出している。ピニオン軸４５における前端部４５ａにはナット４７が取り付けられ、これによってピニオン軸４５とロータ４とが一体に連結されている。ピニオン軸４５の内側には、スプール軸４６がスプール軸線Ｏ２方向に相対移動可能に挿通されている。
【００５９】
ピニオンギア７７は、ドライブギア７６に噛み合っており、ドライブ軸７５及びドライブギア７６の回転に伴ってスプール軸線Ｏ２回りを回転する。これにより、ピニオンギア７７及びピニオン軸４５を介してロータ４をスプール軸線Ｏ２回りに回転させることが可能となる。従って、ロータ駆動機構８０は、ハンドル組立体３の回転操作で発生した回転力をロータ４に伝達している。
【００６０】
（オシレーティング機構）
図２に示すように、オシレーティング機構８１は、ピニオンギア７７に噛み合う中間ギア８５と、スプール軸４６に平行に配置された螺軸８６と、螺軸８６の回転に伴って螺軸８６に沿って往復移動するスライダ８７と、を備えている。
【００６１】
中間ギア８５及び螺軸８６は、ピニオンギア７７の回転に伴って回転する。スライダ８７は、スプール軸４６に対して相対回転不能に連結されていると共に螺軸８６の回転に伴って螺軸８６に沿って往復移動する。これにより、スライダ８７に固定されたスプール軸４６をスプール軸線Ｏ２に沿って往復移動させることができる。従って、オシレーティング機構８１は、ハンドル組立体３の回転操作で発生した回転力を直線の運動力に変換してスプール５に伝達している。
【００６２】
（スプールの詳細構成）
次に、スプール５の構成について、詳細に説明する。
図４及び図５に示すように、スプール本体６０のフランジ部６７は、糸巻胴部６５の前端部から径方向外側に向けて延びるように形成され、その外径はスカート部６６の外径と略同径とされている。
フランジ部６７の前面には、後方に向かって凹むと共にフランジ部６７の全周に亘って周方向に延びる環状溝９０が形成されている。環状溝９０は、前方及び径方向外側に向けて開口するように形成されている。なお、環状溝９０を画成する壁面のうち径方向外側を向いた壁面は、第１周面９１とされている。
【００６３】
図４〜図６に示すように、さらにフランジ部６７の前面には、後方に向かって凹む第１凹部９２が形成されている。
第１凹部９２は、フランジ部６７のうち環状溝９０よりも径方向内側に位置する部分に形成されていると共に、前方及び径方向外側に向けて開口するように形成されている。従って、第１凹部９２は、第１周面９１に開口するように形成されている。
第１凹部９２は、前方から見た正面視で、後述する第２凹部１０４と協働して径方向に長い楕円形状となるように形成されていると共に、その深さは環状溝９０の深さと同等とされている。また第１凹部９２は、周方向に間隔をあけて複数形成されている。例えば、第１凹部９２は６つ形成され、スプール軸線Ｏ２を中心として周方向に等間隔をあけて配置されている。
【００６４】
ただし、第１凹部９２の形状や数は、上述の場合に限定されるものではなく、適宜変更して構わない。例えば第１凹部９２の数としては、１つでも構わないし、６つ以外の複数個でも構わない。また、第１凹部９２の形状としては、前方から見た正面視で後述する第２凹部１０４と協働して円形状、或いは多角形状とされていても構わない。
【００６５】
図４及び図５に示すように、連結筒部６８の外周面には、第１ねじ部９３（例えば雌ねじ部）が形成されている。第１ねじ部９３は、連結筒部６８のうち、前後方向Ｌ２の中央部よりも前方に位置する部分に主に形成されている。ただし、連結筒部６８の全長に亘って第１ねじ部９３が形成されていても構わない。
【００６６】
連結筒部６８には、該連結筒部６８を径方向に貫通するようにねじ孔９４が形成されている。ねじ孔９４は、連結筒部６８のうち第１ねじ部９３よりも後方側に位置する部分に形成されていると共に、周方向に間隔をあけて複数形成されている。例えば、ねじ孔９４は、スプール軸線Ｏ２を中心として周方向に等間隔をあけて配置されるように４つ形成されている。
ただし、ねじ孔９４の数は、上述の場合に限定されるものではなく、例えば３つ以下、或いは５つ以上形成されていても構わない。なお、ねじ孔９４の内周面には、図示しない雌ねじ部が形成されている。
【００６７】
上述のように構成されたフランジ部６７及び連結筒部６８を有するスプール本体６０は、例えばマグネシウム合金、アルミニウム合金等の軽合金製、或いは高強度樹脂、カーボン素材等から形成されている。
【００６８】
（スプールリング）
図４及び図５に示すように、スプールリング６１は、フランジ部６７の外周縁部を径方向外側から囲むように形成され、フランジ部６７に対して前方から分離可能に組み合わされている。
スプールリング６１は、例えば硬質セラミックス等の硬質材料で形成されていると共に、所定のコーティング処理（硬質表面処理等）が施されている。これにより、スプールリング６１は、例えば一定の硬度、耐久性、耐摩耗性等が確保されている。ただし、スプールリング６１の材質は、硬質材料に限定されるものではなく、例えばチタン合金、アルミニウム合金等の金属製でも良い。
【００６９】
図４〜図６に示すように、スプールリング６１は、フランジ部６７の外周縁部を径方向外側から囲むと共に、外周縁部に対して嵌合されたリング本体１００と、リング本体１００の外周縁部から前方に向かうにしたがって漸次径方向外側に向けて延びたガイドリング１０１と、を備え、スプール軸線Ｏ２と同軸に配置されている。
【００７０】
リング本体１００には、径方向内側に向けて突出すると共に、フランジ部６７に形成された環状溝９０内に入り込む連結片１０２が形成されている。
連結片１０２は、環状溝９０内に前方から離脱可能に入り込んでいると共に、フランジ部６７の前面に対して接触した状態で第１周面９１の外側に離脱可能に嵌合している。これにより、スプールリング６１の全体は、フランジ部６７に対して前方から離脱可能に組み合わされている。
図７及び図８に示すように、連結片１０２の内端面は、第１周面９１に対して、その全周に亘って例えば密に接触する第２周面１０３とされている。そのため、第１周面９１と第２周面１０３との間にはシール性が確保されている。
【００７１】
連結片１０２には、連結片１０２を前後方向Ｌ２に貫通する第２凹部１０４が形成されている。第２凹部１０４は、連結片１０２のうちフランジ部６７に形成された第１凹部９２に対して径方向に対向する部分に形成されていると共に、径方向内側に向けて開口するように形成されている。従って、第２凹部１０４は、第２周面１０３に開口するように形成されていると共に、第１凹部９２内に連通している。
なお、第２凹部１０４は、連結片１０２を前後方向Ｌ２に貫通するように形成されているので、前方及び後方の両方に開口している。ただし、第２凹部１０４は、連結片１０２を前後方向Ｌ２に貫通している必要はなく、少なくとも前方及び径方向内側に開口するように形成されていれば良い。
【００７２】
図６に示すように、第２凹部１０４は、前方から見た正面視で第１凹部９２と協働して径方向に長い楕円形状となるように形成されている。また、第２凹部１０４は、第１凹部９２に対応して、周方向に間隔をあけて複数形成されている。すなわち第２凹部１０４は、スプール軸線Ｏ２を中心として周方向に等間隔をあけて６つ形成されている。
【００７３】
図４に示すように、ガイドリング１０１は、先に述べたようにリング本体１００の外周縁部から前方に向かうにしたがって漸次径方向外側に向けて延びるように形成されているので、前方に向けて漸次拡径する断面テーパ状に形成されている。ガイドリング１０１の外周面は、例えば表面処理等によって所定の平滑度が確保されたガイド面とされ、キャスティング時に糸巻胴部６５から前方に向けて繰り出される釣糸を抵抗少なくガイドすることが可能とされている。
なお、ガイドリング１０１の前端部は、ねじ孔９４及び後述するねじ部材１２０よりも後方側に位置している。
【００７４】
（回り止め部）
上述のように構成されたスプールリング６１は、回り止め部１０５を利用して、スプール本体６０のフランジ部６７に対して、周方向への相対移動が抑制された状態で組み合わされている。
図６、図７及び図９に示すように、回り止め部１０５は、スプール本体６０のフランジ部６７に形成された上記第１凹部９２と、スプールリング６１の連結片１０２に形成された上記第２凹部１０４と、第１凹部９２及び第２凹部１０４の内側に前方から離脱可能に嵌合された回り止めピン１０６と、を備えている。
【００７５】
回り止めピン１０６は、第１凹部９２及び第２凹部１０４の形状に対応して、前方から見た正面視で楕円形状に形成された薄型のボタン状に形成されている。
図８及び図９に示すように、回り止めピン１０６は、スプール本体６０のフランジ部６７に対してスプールリング６１を前方から組み合わせた後に、第１凹部９２及び第２凹部１０４の内側に前方から嵌め込まれることで、複数の第１凹部９２及び第２凹部１０４のそれぞれの内側に各別に嵌合される。
【００７６】
これにより、回り止めピン１０６は、第１周面９１及び第２周面１０３を径方向に横切った状態で、スプール本体６０とスプールリング６１とを周方向に一体に連結している。これにより、スプールリング６１は、複数の回り止めピン１０６によって、フランジ部６７に対する周方向への相対移動が抑制された状態でスプール本体６０に対して組み合わされている。
【００７７】
（リングカラー）
図４及び図５に示すように、リングカラー６２は、連結筒部６８に螺着されることで、連結筒部６８を介してスプール本体６０に対して前方から分離可能に組み合わされ、リール本体２のフランジ部６７に対してスプールリング６１を前方から押さえ込んでいる。
【００７８】
図４、図５及び図１０に示すように、リングカラー６２は、リール本体２の連結筒部６８を径方向外側から囲むねじ筒部１１０と、ねじ筒部１１０の前端部側から径方向外側に向かうにしたがって漸次後方に向けて延びるように形成され、連結筒部６８を径方向外側から囲む外郭筒部１１１と、外郭筒部１１１の後端部から径方向外側に向かって延びると共に、スプールリング６１におけるガイドリング１０１の前端部に対して径方向内側から接触する環状の支持壁部１１２と、支持壁部１１２から後方に向かって延びると共に、スプール本体６０のフランジ部６７に対してスプールリング６１の連結片１０２を前方から押さえ込む押圧片１１３と、を備え、スプール軸線Ｏ２と同軸に配置されている。
【００７９】
ねじ筒部１１０の内周面には、連結筒部６８の外周面に形成された第１ねじ部９３に螺合する第２ねじ部１１４（例えば雄ねじ部）が形成されている。ねじ筒部１１０の前端部には、径方向内側に向かって突出すると共に、ねじ筒部１１０の全周に亘って周方向に延びた環状の鍔部１１５が形成されている。
鍔部１１５は、連結筒部６８の前端部よりも前方側に位置していると共に、その内径は連結筒部６８の内径と略同径とされている。リングカラー６２は、鍔部１１５によって例えばスプール本体６０に対する過度の締め込みが防止されている。
【００８０】
外郭筒部１１１は、先に述べたように、ねじ筒部１１０の前端部側から径方向外側に向かうにしたがって漸次後方に向けて延びるように形成されているので、後方に向けて漸次拡径する断面テーパ状に形成されている。なお、外郭筒部１１１の後端部は、ガイドリング１０１の前端部及びフランジ部６７の環状溝９０よりも径方向内側に位置している。
【００８１】
押圧片１１３は、連結筒部６８の後端部側を径方向外側から囲む円筒状に形成され、連結筒部６８に対するねじ筒部１１０の螺着（締め付け）によって、スプール本体６０のフランジ部６７に対して、連結片１０２をその全周に亘って前方から押さえ込んでいる。
【００８２】
ただし、押圧片１１３は円筒状に形成されている場合に限定されるものではない。例えば周方向に延びる円弧状に押圧片１１３を形成したうえで、この押圧片１１３を周方向に間隔をあけて複数形成しても構わない。この場合であっても、複数の押圧片１１３を利用して、スプール本体６０のフランジ部６７に対して、連結片１０２を周方向の複数個所で前方から押さえ込むことが可能とされている。
また、例えば外郭筒部１１１の後端部がフランジ部６７の環状溝９０よりも径方向外側に位置するように、外郭筒部１１１を形成したうえで、押圧片１１３を外郭筒部１１１の後端部から後方に向かって延びるように形成しても構わない。
【００８３】
押圧片１１３は、スプール本体６０のフランジ部６７に対して連結片１０２を前方から押さえ込んでいるだけでなく、図４及び図７に示すように、第１凹部９２及び第２凹部１０４の内側に嵌合された回り止めピン１０６を前方から押さえ込んでいる。これにより、回り止めピン１０６は、押圧片１１３によって第１凹部９２及び第２凹部１０４内からの脱落（抜け）が防止されている。
【００８４】
図４及び図５に示すように、支持壁部１１２は、ガイドリング１０１の前端部に対して径方向内側から接触して、ガイドリング１０１を径方向内側から支えている。そのため、例えばガイドリング１０１に対して外力が作用したときに、ガイドリング１０１が径方向内側に向けて倒れるように変位することを、支持壁部１１２を利用して防止することが可能とされている。これにより、ガイドリング１０１を利用して、釣糸を安定してガイドすることが可能となる。
【００８５】
図５及び図１０に示すように、外郭筒部１１１の内周面には、後述するねじ部材１２０の先端部１２１ａが接触するストッパ面１１６が形成されている。
ストッパ面１１６は、外郭筒部１１１の内周面のうち、連結筒部６８に形成されたねじ孔９４の径方向外側に位置する部分に形成され、外郭筒部１１１の全周に亘って周方向に延びるように環状に形成されている。なお、ストッパ面１１６はスプール軸線Ｏ２に対して略平行に形成されている。
【００８６】
（第１規制部、第２規制部）
上述のように構成されたリングカラー６２は、図４及び図５に示すように、連結筒部６８に取り付けられた複数のねじ部材（第１規制部）１２０と、リングカラー６２に形成された複数の係止突起（第２規制部）１２５と、の協働によって、スプール本体６０に対する周方向への相対移動が規制されている。
【００８７】
ねじ部材１２０は、連結筒部６８に形成されたねじ孔９４に螺着されることで、連結筒部６８に対して離脱可能に取り付けられている。
本実施形態では、ねじ部材１２０として、ねじ孔９４の雌ねじ部に螺合する雄ねじ部がねじ軸１２１の外周面に形成され、且つそのヘッド部がねじ軸１２１と同径に形成された止めねじ、いわゆるイモねじとしている。図示の例では、ねじ軸１２１の先端部（ねじ先）１２１ａが平らに形成された、いわゆる「平先」のねじ部材１２０としているが、先端部１２１ａの形状は特に限定されるものではない。また、ねじ軸１２１のヘッド部側における端面には、工具を係合させてねじ部材１２０を回転させるための図示しない取付穴が形成されている。取付穴としては、例えば六角穴、十字穴、マイナス穴、星穴等が挙げられるが、特に限定されるものではない。
【００８８】
ねじ部材１２０は、ねじ孔９４の内側に潜り込むように取り付けられており、その先端部１２１ａはリングカラー６２のストッパ面１１６に対して径方向内側から接触している。これにより、ねじ部材１２０は、ねじ孔９４内へのそれ以上の捩じ込みが規制されている。なお、ねじ部材１２０のヘッド部側は、連結筒部６８の内側に突出することなく、ねじ孔９４の内側に収容されている。
【００８９】
係止突起１２５は、リングカラー６２におけるねじ筒部１１０の後端部からさらに後方に向かって突出するように形成されていると共に、周方向に間隔をあけて複数形成されている。具体的には、係止突起１２５は、ねじ部材１２０のねじ軸１２１の直径よりも僅かに大きな間隔をあけて周方向に並ぶように配置されている。従って、ねじ部材１２０は、周方向に隣り合う係止突起１２５同士の間に配置された状態で、その先端部１２１ａがストッパ面１１６に対して接触している。
【００９０】
複数の係止突起１２５のうち、ねじ部材１２０を間に挟んで周方向に並ぶ２つの係止突起１２５は、ねじ部材１２０に対して周方向から係止可能とされている。そのため、これら係止突起１２５は、スプール本体６０に対するリングカラー６２の周方向への相対移動を規制している。
【００９１】
具体的には、連結筒部６８に対してリングカラー６２を締め付けるときの回転方向を周方向の一方向、その反対に連結筒部６８に対してリングカラー６２を弛めるときの回転方向を周方向の他方向としたときに、例えばリングカラー６２を締め付け方向である周方向の一方向に回転させたときに、ねじ部材１２０よりも周方向の他方向側に位置する係止突起１２５がねじ部材１２０に係止する。これにより、スプール本体６０に対する締め付け方向側へのリングカラー６２の相対移動を規制することができる。
また、例えばリングカラー６２を緩み方向である周方向の他方向側に回転させたときに、ねじ部材１２０よりも周方向の一方向側に位置する係止突起１２５がねじ部材１２０に係止する。これにより、スプール本体６０に対する緩み方向側へのリングカラー６２の移動を規制することができる。
上述のように、ねじ部材１２０及び複数の係止突起１２５を利用することで、スプール本体６０に対するリングカラー６２の周方向への相対移動を規制することができる。
【００９２】
なお、複数の係止突起１２５は、ねじ孔９４及びねじ部材１２０に対応した数よりも多く形成されている。そのため、スプール本体６０に対するリングカラー６２の相対的な周方向位置に応じて、ねじ部材１２０に対して係止させる係止突起１２５を選択することが可能とされている。
【００９３】
リングカラー６２における鍔部１１５には、ねじ部材１２０に対する係止突起１２５の相対的な周方向位置を示す目印溝（指標部）１２６が形成されている。そのため、目印溝１２６を利用して、ねじ部材１２０に対する係止突起１２５の相対的な周方向位置を把握することが可能とされている。
【００９４】
目印溝１２６は、鍔部１１５の内周面にスプール軸線Ｏ２に沿ってライン状に形成されていると共に、周方向に間隔をあけて複数形成されている。図１０に示すように、各目印溝１２６は、周方向に隣り合う係止突起１２５同士の間をスプール軸線Ｏ２に沿って延びる仮想の延長線Ｎに対して、周方向位置が一致するように形成されている。
従って、図５に示すように、目印溝１２６とねじ孔９４の中心とがスプール軸線Ｏ２方向（前後方向Ｌ２）に一致するように、スプール本体６０に対してリングカラー６２を組み合わせることで、周方向に隣り合う係止突起１２５同士の間にねじ孔９４を位置させることが可能となる。
【００９５】
（スピニングリールの作用）
次に、上述のように構成されたスピニングリール１を利用する場合について、簡単に説明する。
キャスティングを行う場合には、図１及び図２に示す状態からベールアーム５０を糸開放姿勢に倒し、釣竿Ｒを前方に向けて振り出す。これにより、スプール５の糸巻胴部６５に巻かれた釣糸を前方に向けて繰り出すことができる。
その後、釣糸を巻き上げる場合には、ベールアーム５０を図１及び図２に示すように糸案内姿勢に戻す。これにより、釣糸がベールアーム５０によってラインローラ５３に案内される。この状態で、ハンドルノブ３２を握りながら、ハンドル組立体３をハンドル軸線Ｏ１回りに適宜回転させてハンドル操作を行う。
【００９６】
ハンドル組立体３の回転力は、ロータ駆動機構８０によってロータ４に伝達されるので、該ロータ４をスプール軸線Ｏ２回りに回転させることができる。これと同時に、ハンドル組立体３の回転力は、オシレーティング機構８１によってスプール５に伝達されるので、該スプール５をスプール軸線Ｏ２に沿って往復移動させることができる。
その結果、スプール５を前後方向Ｌ２に往復移動させながらロータ４を回転させることができ、ラインローラ５３を介して釣糸をスプール５の糸巻胴部６５に偏りなく巻き付けることができる。
【００９７】
特に、本実施形態のスプール５によれば、図４及び図５に示すように、リングカラー６２がスプール本体６０のフランジ部６７に対してスプールリング６１を前方から押さえ込んでいると共に、ねじ部材１２０と係止突起１２５との協働によって、スプール本体６０に対するリングカラー６２の周方向への相対移動を規制している。そのため、周方向へのリングカラー６２の移動を規制した状態で、連結筒部６８を介してスプール本体６０にリングカラー６２を組み合わせることができる。
【００９８】
従って、リングカラー６２を利用してスプールリング６１をフランジ部６７に対して前方から安定的に押さえ込むことができ、リングカラー６２とフランジ部６７との間でスプールリング６１を挟持することができる。これにより、スプールリング６１をがたつき少なく安定に保持することができ、例えばキャスティング時において、スプールリング６１におけるガイドリング１０１で釣糸を安定にガイドしながら前方に向けて釣糸を繰り出すことができる。
【００９９】
ところで、ねじ部材１２０は連結筒部６８に対して離脱可能に取り付けられているので、連結筒部６８のねじ孔９４からねじ部材１２０を取り外すことで、スプール本体６０に対するリングカラー６２の周方向への相対移動の規制を解除することができる。これにより、スプール本体６０からリングカラー６２を前方側に分離させて該リングカラー６２をスプール本体６０から取り外すことができ、リングカラー６２によるスプールリング６１の押さえ込みを解除することができる。従って、フランジ部６７からスプールリング６１を前方側に分離させて該スプールリング６１をスプール本体６０から取り外すことができる。
【０１００】
具体的にスプールリング６１を取り外す場合には、連結筒部６８の内側からドラグ調整ノブ７０等を取り外した後、連結筒部６８に形成された各ねじ孔９４からねじ部材１２０をそれぞれ取り外す。これにより、ねじ部材１２０に対する係止突起１２５の周方向の係止を解除することができる。
次いで、ねじ部材１２０を取り外した後、スプール本体６０に対してリングカラー６２を緩み方向側である周方向の他方向側に回転させてリングカラー６２をスプール本体６０から分離させ、リングカラー６２を前方に取り外す。
次いで、リングカラー６２の取り外し後、第１凹部９２及び第２凹部１０４内から回り止めピン１０６を取り外すことで、スプールリング６１をスプール本体６０から前方に取り外すことができる。
【０１０１】
このように、スプールリング６１を任意に取り外すことができるので、例えばスプールリング６１に傷等が付いた場合には、スプールリング６１だけを修理或いは交換することができる。そのため、修理、交換に費やす維持費を抑制することができ、ユーザにかかる負担の軽減化に繋げることができる。
さらに、スピニングリール１の種類、釣糸の種類、ルアーの種類等に応じて、例えば材質や表面処理が異なる複数種類のスプールリング６１の中から最適なスプールリング６１を選択して付け替えることもできる。従って、状況に応じたスプールリング６１の使い分けを行うことができ、使い易さを向上することができると共に、例えば釣糸の飛距離を高める等のリール性能の向上化にも繋げることができる。
【０１０２】
上述したように、本実施形態のスピニングリール１によれば、スプールリング６１だけを任意に取り外すことができるスプール５を備えているので、スプールリング６１単品での修理或いは交換が可能であるうえ、スプールリング６１の付け替えを行って、状況に応じたスプールリング６１の使い分けを行うことができる。従って、維持費を抑制することができると共に、使い易く、リール性能が向上したスピニングリール１とすることができる。
【０１０３】
次に、スプールリング６１を取り付ける場合について説明する。
この場合には、スプール本体６０に対してスプールリング６１を前方から組み入れ、図８に示すように、フランジ部６７に形成された環状溝９０内にスプールリング６１の連結片１０２を嵌め込みながら、フランジ部６７の外周縁部にリング本体１００を嵌合させる。これにより、フランジ部６７に対してスプールリング６１を前方から組み合わせることができる。
【０１０４】
このとき、フランジ部６７に形成された複数の第１凹部９２の位置と、連結片１０２に形成された複数の第２凹部１０４の位置とが周方向で一致するように、フランジ部６７に対してスプールリング６１を組み合わせる。これにより、複数の第１凹部９２及び第２凹部１０４は互いに連通した状態となる。
【０１０５】
次いで、複数の第１凹部９２及び第２凹部１０４内のそれぞれに、回り止めピン１０６を前方から嵌め込んで嵌合させる。これにより、図９に示すように、回り止めピン１０６によって、フランジ部６７に対するスプールリング６１の周方向への相対移動を抑制することができる。
【０１０６】
次いで、スプール本体６０に対してリングカラー６２を締め付け方向である周方向の一方側に向けて捩じ込み、連結筒部６８に対してねじ筒部１１０を螺着させていく。これにより、スプール本体６０に対してリングカラー６２を前方から組み合わせることができると共に、図７に示すように、押圧片１１３を利用してフランジ部６７に対してスプールリング６１の連結片１０２を前方から押さえ込むことができる。
【０１０７】
特に、リングカラー６２の締め付けによって、スプールリング６１を押さえ込む押圧力を調整しながら、フランジ部６７に対して連結片１０２を前方から徐々に押さえ込むことができる。従って、フランジ部６７と押圧片１１３との間でスプールリング６１を安定して挟持することができ、スプールリング６１をがたつき少なく安定に保持することができる。
【０１０８】
さらに、回り止めピン１０６によって、フランジ部６７に対するスプールリング６１の周方向への相対移動が抑制されているので、スプールリング６１が回転することを抑制した状態で、フランジ部６７と押圧片１１３との間でスプールリング６１を挟持することができる。従って、スプールリング６１をさらにがたつき少なく安定に保持することができる。さらに、リングカラー６２を締め付けるときに、スプールリング６１がリングカラー６２の回転に伴って共回りすることがないので、リングカラー６２の締め付け作業を容易且つ確実に行い易い。
【０１０９】
しかも、リングカラー６２の押圧片１１３は、フランジ部６７に対してスプールリング６１を前方から押さえ込んでいるだけではなく、図７に示すように回り止めピン１０６も押さえ込んでいる。そのため、第１凹部９２及び第２凹部１０４内からの回り止めピン１０６の抜けを効果的に防止することができる。
【０１１０】
次いで、ねじ孔９４へのねじ部材１２０の取り付けを行う。
なお、ねじ部材１２０を取り付けるにあたって、上述したリングカラー６２の締め付け時、鍔部１１５に形成された目印溝１２６を視認しながら、スプール本体６０に対するリングカラー６２の周方向位置を調整しておく。具体的には、図５に示すように、連結筒部６８に形成されているねじ孔９４の位置に対して、目印溝１２６の位置が周方向で一致するように、スプール本体６０に対するリングカラー６２の周方向位置を調整しておく。
【０１１１】
その後、図示しない工具を利用して、連結筒部６８の内側からねじ部材１２０をねじ孔９４に捩じ込み、図４及び図５に示すように、ねじ部材１２０の先端部１２１ａをリングカラー６２のストッパ面１１６に接触させる。これにより、連結筒部６８の内側にねじ部材１２０が突出しないように、ねじ部材１２０をねじ孔９４の内側に潜り込ませた状態で、連結筒部６８にねじ部材１２０を取り付けることができる。
先に述べたように、目印溝１２６を視認しながらスプール本体６０に対するリングカラー６２の周方向位置を調整しているので、ねじ孔９４にねじ部材１２０を取り付けることで、周方向に隣り合う係止突起１２５の間にねじ部材１２０を配置させることができると共に、ねじ部材１２０と係止突起１２５とを互いに周方向に係止可能な状態とすることができる。
【０１１２】
これにより、ねじ部材１２０及び係止突起１２５を利用して、スプール本体６０に対するリングカラー６２の周方向への移動を規制することができる。そのため、例えばリングカラー６２を緩み止めした状態で、スプール本体６０に対してリングカラー６２を組み合わせることができる。
特に、複数のねじ部材１２０を利用しているので、複数個所でねじ部材１２０と係止突起１２５とを周方向に係止させることができ、スプール本体６０に対するリングカラー６２の周方向への移動を効果的に抑制して、リングカラー６２の緩み止めを適切に行うことができる。
【０１１３】
以上のことにより、スプールリング６１の取り付けを完了することができる。
特に、スプールリング６１の取り付けを行うにあたって、目印溝１２６を視認しながらスプール本体６０に対するリングカラー６２の周方向位置を調整できるので、連結筒部６８にねじ部材１２０を取り付けるときに、ねじ孔９４を係止突起１２５が塞いでしまうことがないうえ、ねじ部材１２０と係止突起１２５とを適切且つ速やかに周方向に係止可能な状態とすることができる。従って、スプールリング６１の取り付け作業を効率良く行うことができる。
また、フランジ部６７に対してスプールリング６１を組み合わせた後、第１凹部９２及び第２凹部１０４の内側に回り止めピン１０６を前方から嵌め込むだけの簡便な作業でフランジ部６７に対するスプールリング６１の周方向への相対移動を抑制することができる。従って、この点においても、スプールリング６１の取り付け作業を効率良く行うことができる。
【０１１４】
さらに、ねじ孔９４の内側にねじ部材１２０を捩じ込んでいるので、連結筒部６８からねじ部材１２０が意図せずに離脱してしまう（抜け落ちる）ことを効果的に抑制することができる。従って、スプール本体６０に対するリングカラー６２の周方向への相対移動の規制を、例えば長期に亘って安定して維持することができる。
さらに、ねじ部材１２０として止めねじを利用しているので、連結筒部６８の内側にねじ部材１２０の一部が突出しないように、ねじ部材１２０をねじ孔９４の内側に潜り込ませた状態で連結筒部６８に取り付けることができる。そのため、連結筒部６８の内側スペースを有効に利用することができ、例えば図２に示すようにドラグ調整ノブ７０等を適切に配置することができる。
【０１１５】
（第１実施形態の変形例）
上述した第１実施形態において、回り止めピン１０６を弾性変形可能な弾性材で形成しても構わない。弾性材としては、特に限定されるものではないが、例えばニトリルゴム、ブチルゴム、シリコンゴム、エラストマ樹脂等が挙げられる。
回り止めピン１０６を弾性材で形成する場合には、例えば第１凹部９２及び第２凹部１０４の外形サイズよりも、回り止めピン１０６を僅かに大きく形成し、第１凹部９２及び第２凹部１０４の内側に回り止めピン１０６を弾性変形させた状態で嵌め込めば良い。これにより、回り止めピン１０６の弾性復元力を利用して、第１凹部９２及び第２凹部１０４の内面に回り止めピン１０６を強く密着させることができる。
【０１１６】
従って、第１凹部９２及び第２凹部１０４と、回り止めピン１０６との間に、がたつきが生じることを防止することでき、がたつき分、スプール本体６０に対してスプールリング６１が周方向に僅かに移動してしまうといったことを防止することができる。そのため、スプール本体６０に対するスプールリング６１の周方向への相対移動をさらに効果的に抑制することができ、スプールリング６１のより安定した保持に繋げることができる。
【０１１７】
さらに、回り止めピン１０６を弾性材で形成する場合には、図１１及び図１２に示すように、回り止めピン１０６の外径が、後方から前方に向かうにしたがって漸次大きくなるように、断面テーパ状に形成しても構わない。
この場合には、第１凹部９２及び第２凹部１０４の内側に回り止めピン１０６を嵌め込むときに、嵌め込みを進行させるにつれて弾性変形量が大きくなるように、回り止めピン１０６を徐々に弾性変形させることができる。従って、第１凹部９２及び第２凹部１０４の内側に回り止めピン１０６を嵌め込み易くなる。また、第１凹部９２及び第２凹部１０４の内側に回り止めピン１０６を嵌め込んだ後は、上述と同様の作用効果を奏効することができる。
【０１１８】
（第２実施形態）
次に、本発明に係るスプール及び魚釣用リールの第２実施形態について図面を参照して説明する。なお、この第２実施形態においては、第１実施形態における構成要素と同一の部分については、同一の符号を付しその説明を省略する。
第１実施形態では、第１凹部９２、第２凹部１０４及び回り止めピン１０６で回り止め部１０５を構成し、スプール本体６０に対するスプールリング６１の周方向への相対移動を抑制したが、本実施形態ではＯリングを利用して、スプール本体６０に対するスプールリング６１の周方向への相対移動を抑制する。
【０１１９】
図１３及び図１４に示すように、本実施形態のスピニングリール１は、第１実施形態における第１凹部９２、第２凹部１０４及び回り止めピン１０６に代えて、リングカラー６２の支持壁部１１２とスプールリング６１のリング本体１００との間にＯリング（回り止め部）１３１が配設されたスプール１３０を備えている。
【０１２０】
Ｏリング１３１は、リングカラー６２の押圧片１１３を径方向外側から囲むように形成されていると共に、押圧片１１３に対して外嵌されている。
Ｏリング１３１は、例えばニトリルゴム、フッ素ゴム、シリコンゴム等の弾性材で形成されていると共に、その直径は、スプールリング６１におけるリング本体１００とリングカラー６２の支持壁部１１２との間の前後方向Ｌ２の間隔よりも大きく形成されている。そのため、Ｏリング１３１は、前後方向Ｌ２に潰れるように弾性変形した状態で、スプールリング６１におけるリング本体１００とリングカラー６２の支持壁部１１２との間に挟まれている。
【０１２１】
従って、Ｏリング１３１は、弾性復元力によって、少なくともスプールリング６１のリング本体１００及びリングカラー６２の支持壁部１１２に対して、それぞれ密に密着している。そのため、Ｏリング１３１とスプールリング６１との間、及びＯリング１３１とリングカラー６２との間には、高いシール性が確保されている。
【０１２２】
さらにリングカラー６２は、押圧片１１３を介してスプールリング６１の連結片１０２をスプール本体６０のフランジ部６７に対して前方から押さえ込んでいると同時に、Ｏリング１３１をスプールリング６１に対して前方から強く押付けている。そのため、Ｏリング１３１とスプールリング６１との間に、高い摺動抵抗を確保することができ、スプール本体６０に対するスプールリング６１の周方向への相対移動を効果的に抑制することができる。
【０１２３】
上述のように構成された本実施形態のスピニングリール１であっても、Ｏリング１３１を利用してスプール本体６０に対するスプールリング６１の周方向への相対移動を抑制することができるので、第１実施形態と同様の作用効果を奏効することができる。
それに加え、Ｏリング１３１を利用して高いシール性を確保できるので、例えばリングカラー６２とスプールリング６１との間を通じて外部からリングカラー６２の内側に向けて塵埃、液体等が進入することを効果的に防止することができる。従って、例えば高い防水性能を具備したスプール１３０及びスピニングリール１とすることができる。
さらに、第１実施形態のように、第１凹部９２及び第２凹部１０４の内側に回り止めピン１０６を嵌め込む必要がないので、スプールリング６１の交換、付け替え等を効率良く行い易い。
【０１２４】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【０１２５】
例えば、上記各実施形態では、リングカラー６２をスプール本体６０に対して螺着させたが、この場合に限定されるものではない。例えば、スプール本体６０に対してリングカラー６２をスプール軸線Ｏ２方向（前後方向Ｌ２）に相対移動可能に組み合わせても構わない。いずれにしても、連結筒部６８を介してスプール本体６０に対して前方から分離可能にスプールリング６１を組み合わせることができれば良い。
【０１２６】
また、上記各実施形態では、ねじ部材１２０及び係止突起１２５を利用して、スプール本体６０に対するリングカラー６２の周方向への相対移動を規制したが、係止突起１２５は必須なものではなく、具備しなくても構わない。
例えば、リングカラー６２のストッパ面１１６に、ねじ部材１２０の先端部１２１ａが螺着されるねじ孔を形成し、連結筒部６８のねじ孔９４に捩じ込んだねじ部材１２０の先端部１２１ａを、さらにストッパ面１１６に形成されたねじ孔に捩じ込めば良い。これにより、ねじ部材１２０を介して、スプール本体６０とリングカラー６２とを径方向に連結することができるので、係止突起１２５を利用することなく、スプール本体６０に対するリングカラー６２の周方向への相対移動を規制することができる。
【０１２７】
さらに、ねじ部材１２０の先端部１２１ａをストッパ面１１６に形成されたねじ孔に螺着させる場合には、例えばスプール本体６０に対してリングカラー６２を前方からスライド移動によって組み合わせる構成に対しても適用することが可能である。
例えば、スプール本体６０に対してリングカラー６２を前方からスライド移動によって組み合わせた後、連結筒部６８のねじ孔９４に捩じ込んだねじ部材１２０の先端部１２１ａを、さらにストッパ面１１６に形成されたねじ孔に捩じ込むことで、スプール本体６０に対する周方向へのリングカラー６２の相対移動、及びスプール本体６０に対する前後方向Ｌ２へのリングカラー６２の相対移動の両方を規制することが可能である。
【０１２８】
ただし、上記各実施形態のように、ねじ部材１２０及び係止突起１２５を協働させた場合には、ねじ部材１２０のみでリングカラー６２の相対移動を規制する場合よりも、スプール本体６０に対するリングカラー６２の相対移動をより確実に規制し易いので、より好ましい。
【０１２９】
また、上記各実施形態では、ねじ部材１２０として止めねじを利用した場合を例に挙げて説明したが、止めねじに限定されるものではなく、ヘッド部がねじ軸１２１よりも大径とされた一般的なボルト、スクリュー等であっても構わない。
【０１３０】
さらには、ねじ部材１２０に限定されるものではなく、例えばロックピン等のロッド部材を、スプール本体６０に対するリングカラー６２の相対移動を規制する第１規制部として利用しても構わない。この場合には、例えば連結筒部６８にねじ孔９４に代えて貫通孔を形成し、この貫通孔内にロッド部材を嵌め込むように取り付けることで、ロッド部材と係止突起１２５とを周方向に係止可能な状態にすれば良い。この場合であっても、同様の作用効果を奏功することができる。
ただし、第１規制部をねじ部材１２０とした場合には、意図せずにねじ部材１２０がねじ孔９４から抜け落ちることを効果的に防止することができるので、より好ましい。
【０１３１】
また、上記第１実施形態では、第１凹部９２及び第２凹部１０４の内側に回り止めピン１０６を嵌合させることで、スプール本体６０に対するスプールリング６１の周方向への相対移動を抑制したが、例えば第１凹部９２または第２凹部１０４内に入り込む凸部を、スプール本体６０又はスプールリング６１に形成することで、スプール本体６０に対するスプールリング６１の周方向への相対移動を抑制しても構わない。
【０１３２】
例えば、スプールリング６１における連結片１０２に、第２凹部１０４に代えて、径方向内側に向けて突出すると共に、第１凹部９２の内側に嵌合される凸部を形成しても良い。この場合であっても、スプール本体６０に対するスプールリング６１の組み合わせに伴って、第１凹部９２内に凸部を前方から嵌め込むことができると共に、第１凹部９２及び凸部の嵌合を利用して、スプール本体６０に対するスプールリング６１の周方向への相対移動を抑制することが可能である。
またこれとは逆に、スプール本体６０におけるフランジ部６７に、第１凹部９２に代えて、径方向外側に向けて突出すると共に、第２凹部１０４の内側に嵌合される凸部を形成しても良い。この場合であっても、スプール本体６０に対するスプールリング６１の組み合わせに伴って、第２凹部１０４内に凸部を嵌め込むことができると共に、第２凹部１０４及び凸部の嵌合を利用して、スプール本体６０に対するスプールリング６１の周方向への相対移動を抑制することが可能である。
【符号の説明】
【０１３３】
Ｏ１…ハンドル軸線
Ｏ２…スプール軸線
１…スピニングリール（魚釣用リール）
２…リール本体
３…ハンドル組立体（ハンドル）
４…ロータ
５、１３０…スプール
６０…スプール本体
６１…スプールリング
６２…リングカラー（固定リング）
６５…糸巻胴部
６７…フランジ部
６８…連結筒部
９２…第１凹部
９３…第１ねじ部
９４…ねじ孔
１０４…第２凹部
１０５…回り止め部
１０６…回り止めピン
１１０…ねじ筒部
１１４…第２ねじ部
１２０…ねじ部材（第１規制部）
１２５…係止突起（第２規制部）
１２６…目印溝（指標部）
１３１…Ｏリング（回り止め部）
【図１】
2019110761.tif 000003
【図２】
2019110761.tif 000004
【図３】
2019110761.tif 000005
【図４】
2019110761.tif 000006
【図５】
2019110761.tif 000007
【図６】
2019110761.tif 000008
【図７】
2019110761.tif 000009
【図８】
2019110761.tif 000010
【図９】
2019110761.tif 000011
【図１０】
2019110761.tif 000012
【図１１】
2019110761.tif 000013
【図１２】
2019110761.tif 000014
【図１３】
2019110761.tif 000015
【図１４】
2019110761.tif 000016